(57)【要約】【課題】作業者が、乗場からはしごを取り外して移動させることなく、昇降路内機器の保守点検を行うことができるエレベータ装置を得る。【解決手段】昇降路１の下側に取り付けられ、駆動することでかごを昇降させる巻上機４と、昇降路１の下側に取り付けられ、巻上機４の駆動を制御する制御盤５とを備えたエレベータ装置において、昇降路１の底面に倒伏または起立可能に設けられ、起立したときに巻上機４の下方に取り付けられた巻上機用作業台６または制御盤５の下方に取り付けられた制御盤用作業台７に先端部が近接するはしご１１を備えている。【選択図】図１
2009184757.tif 000002
【特許請求の範囲】
【請求項１】
昇降路の下側に設けられ、かごを駆動させる昇降路内機器を備えたエレベータ装置において、
前記昇降路の底面に倒伏または起立可能に設けられ、起立したときに前記昇降路内機器に先端部が近接するはしごを備えたことを特徴とするエレベータ装置。
【請求項２】
前記昇降路内機器は、駆動することで前記かごを昇降させる巻上機であることを特徴とする請求項１に記載のエレベータ装置。
【請求項３】
前記昇降路内機器は、前記かごの昇降を制御する制御盤であることを特徴とする請求項１に記載のエレベータ装置。
【請求項４】
前記昇降路内機器の下方には、前記昇降路の側壁面から水平方向に突出可能な作業台が設けられ、
前記はしごが起立するとともに前記作業台が水平方向に突出することで、前記作業台と前記はしごの先端部とが近接することを特徴とする請求項１ないし請求項３の何れか１項に記載のエレベータ装置。
【請求項５】
前記昇降路の底面と倒伏した前記はしごの両端部との間には、前記はしごの両端部を回動可能に保持する一対の保持具が設けられ、
前記昇降路の側壁面に沿って設けられた、前記かごを案内する対向した一対のガイドレールと、起立した前記はしごの先端部との間には、前記ガイドレールと前記先端部とを連結する連結体が設けられ、
倒伏した前記はしごは、一端部が一方の前記保持具から取り外され、他端部を中心に回動して起立し、前記一端部が一方の前記連結体に保持されることを特徴とする請求項１ないし請求項４の何れか１項に記載のエレベータ装置。
【請求項６】
前記昇降路の底面には、かご側緩衝器を支持した基台が設けられ、
一対の前記保持具および前記ガイドレールは、前記基台に支持されていることを特徴とする請求項５に記載のエレベータ装置。
【請求項７】
前記はしごは、所定の長さに設定されており、
一対の前記ガイドレールは、前記はしごの長手方向の寸法を基準にして、所定の間隔に設置されたことを特徴とする請求項６に記載のエレベータ装置。
【発明の詳細な説明】
【技術分野】
【０００１】
この発明は、昇降路の下側に設けられ、かごを駆動させる昇降路内機器を備えたエレベータ装置に関する。
【背景技術】
【０００２】
従来、昇降路の下側に設けられ、かごを駆動させる昇降路内機器と、前記昇降路内機器の下方に設けられた作業台と、前記昇降路の底面に立設され、先端部が乗場に近接したはしごとを備え、前記はしごは、作業者により、前記先端部が前記作業台に近接するように移動可能であるエレベータ装置が知られている（例えば、特許文献１参照）。
【０００３】
【特許文献１】特開２００２−２９３４８６号公報
【発明の開示】
【発明が解決しようとする課題】
【０００４】
しかしながら、このものの場合、昇降路内機器の保守点検を行うためには、作業者は、先端部が乗場に近接したはしごを、先端部が作業台に近接するように移動させなければならず、作業の効率が悪いという問題点があった。
【０００５】
この発明は、上述のような問題点を解決することを課題とするものであって、その目的は、作業者が、乗場からはしごを取り外して移動させることなく、昇降路内機器の保守点検を行うことができるエレベータ装置を提供するものである。
【課題を解決するための手段】
【０００６】
この発明に係るエレベータ装置は、昇降路の下側に設けられ、かごを駆動させる昇降路内機器を備えたエレベータ装置において、前記昇降路の底面に倒伏または起立可能に設けられ、起立したときに前記昇降路内機器に先端部が近接するはしごを備えている。
【発明の効果】
【０００７】
この発明に係るエレベータ装置によれば、昇降路の底面には、起立したときに昇降路内機器に先端部が近接するはしごを備えているので、作業者が、乗場からはしごを取り外して移動させることなく、昇降路内機器の保守点検を行うことができる。
【発明を実施するための最良の形態】
【０００８】
以下、この発明の各実施の形態を図に基づいて説明するが、各図において、同一または相当の部材、部位については、同一符号を付して説明する。
実施の形態１．
図１はこの実施の形態に係るエレベータ装置の要部を示す斜視図、図２は図１のエレベータ装置の要部を示す平面図である。
この実施の形態に係るエレベータ装置は、昇降路１の側壁面であって、底面から所定の距離だけ上方に配置された、かごを駆動させる昇降路内機器を備えている。
昇降路１の側壁面の１つには、駆動することで巻上機ロープ３を介してかごを昇降させる昇降路内機器である巻上機４が取り付けられている。
巻上機４が取り付けられた側壁面に隣接した側壁面には、巻上機４を介してかごの昇降を制御する昇降路内機器である制御盤５が取り付けられている。
【０００９】
制御盤５が取り付けられた側壁面に対向した側壁面には、この側壁面から回動することで水平方向に突出可能な作業台である巻上機用作業台６が取り付けられており、この巻上機用作業台６が側壁面から水平方向に回動することで、巻上機用作業台６は巻上機４の下方に配置される。
制御盤５が取り付けられた側壁面には、昇降路１の側壁面から回動することで水平方向に突出可能な作業台である制御盤用作業台７が取り付けられており、この制御盤用作業台７が側壁面から水平方向に回動することで、制御盤用作業台７は制御盤５の下方に配置される。
なお、巻上機用作業台６および制御盤用作業台７は、水平方向に伸縮可能な折りたたみ式の作業台であってもよい。
【００１０】
昇降路１の底面には、一対のかご側緩衝器８のそれぞれに対応して支持した一対の基台９が取り付けられており、それぞれの基台９は所定の距離だけ離れて配置されている。
それぞれの基台９には、かごを案内するガイドレール１０が鉛直方向に立てられており、それぞれのガイドレール１０は互いに対向して配置されている。
一対の基台９の間には、はしご１１が取り付けられており、一方の基台９には、はしご１１の一端部１１ａが回動可能に保持される保持具である第１の取付金１２が取り付けられ、他方の基台９には、はしご１１の他端部１１ｂが回動可能に保持される保持具である第２の取付金１３が取り付けられている。
はしご１１は、倒伏した状態から一端部１１ａが第１の取付金１２から外れることで、他端部１１ｂを中心に回動して起立可能となる。
また、はしご１１は、倒伏した状態から他端部１１ｂが第２の取付金１３から外れることで、一端部１１ａを中心に回動して起立可能となる。
さらに、はしご１１は、一端部１１ａを中心に回動して起立することで他端部１１ｂが巻上機用作業台６に近接し、他端部１１ｂを中心に回動して起立することで一端部１１ａが制御盤用作業台７に近接する。
第１の取付金１２および第２の取付金１３により、起立したはしご１１の下端部が固定されるので、はしご１１を安定して起立させることができる。
【００１１】
第１の取付金１２が取り付けられた基台９に立てられたガイドレール１０には、一端部１１ａを中心に回動して起立したはしご１１の先端部である他端部１１ｂを保持することで、ガイドレール１０とはしご１１の他端部１１ｂとを連結する連結体である第１のブラケット１４が取り付けられている。
第２の取付金１３が取り付けられた基台９に立てられたガイドレール１０には、他端部１１ｂを中心に回動して起立したはしご１１の先端部である一端部１１ａを保持することで、ガイドレール１０とはしご１１の一端部１１ａとを連結する連結体である第２のブラケット１５が取り付けられている。
第１のブラケット１４および第２のブラケット１５により、起立したはしご１１を簡単に固定することができる。
【００１２】
次に、この実施の形態に係るエレベータ装置の巻上機４を、はしご１１を用いて保守点検する手順について説明する。
図３は図２のはしご１１が起立し、巻上機用作業台６が側壁面から水平方向に回動したときを示す平面図、図４は図３のはしご１１が起立したときを示す側面図である。
まず、はしご１１の他端部１１ｂを第２の取付金１３から外し、一端部１１ａを中心にはしご１１を回動させ起立させて、はしご１１の他端部１１ｂを第１のブラケット１４に保持させる。
次に、巻上機用作業台６を側壁面から水平方向に回動させる。
これにより、作業者は、はしご１１を使って、巻上機用作業台６の上に乗ることができ、巻上機用作業台６の上で、巻上機４の保守点検を行うことができる。
巻上機４の保守点検が終了した場合には、巻上機用作業台６を水平方向から側壁面に向かって回動させ、さらに、はしご１１の他端部１１ｂを第１のブラケット１４から外して、はしご１１を昇降路１の底面に倒伏させ、はしご１１の他端部１１ｂを第２の取付金１３に保持させる。
【００１３】
次に、制御盤５を、はしご１１を用いて保守点検する手順について説明する。
図５は図１のはしご１１が起立し、制御盤用作業台７が側壁面から水平方向に回動したときを示す平面図、図６は図１の制御盤５を保守点検する様子を示す斜視図である。
まず、はしご１１の一端部１１ａを第１の取付金１２から外し、他端部１１ｂを中心にはしご１１を回動させ起立させて、はしご１１の一端部１１ａを第２のブラケット１５に保持させる。
次に、制御盤用作業台７を側壁面から水平方向に回動させる。
これにより、作業者は、はしご１１を使って、制御盤用作業台７の上に乗ることができ、制御盤用作業台７の上で、制御盤５の保守点検を行うことができる。
制御盤５の保守点検が終了した場合には、制御盤用作業台７を水平方向から側壁面に向かって回動させ、さらに、はしご１１の一端部１１ａを第２のブラケット１５から外して、はしご１１を昇降路１の底面に倒伏させ、はしご１１の一端部１１ａを第１の取付金１２に保持させる。
【００１４】
次に、はしご１１を用いて、一対のガイドレール１０を設置する手順について説明する。
まず、昇降路１の底面に、長手方向が所定の長さであるはしご１１を倒伏させて配置する。
基台９を移動させるとともに、一対の基台９のそれぞれに取り付けられた第１の取付金１２および第２の取付金１３をはしご１１の両端部に保持させて、一対の基台９を昇降路１の底面に配置する。
それぞれの基台９は、はしご１１により所定の間隔に配置されているので、それぞれの基台９にガイドレール１０を取り付けることで、一対のガイドレール１０は、所定の間隔に設置される。
なお、はしご１１は、長手方向の長さが調節可能なものであってもよい。このものの場合、一対のガイドレール１０が所定の間隔となるようにはしご１１の長手方向の長さを調節し、はしご１１の長さを固定した後、第１の取付金１２および第２の取付金１３にはしご１１の両端部を保持させて、基台９にガイドレール１０を取り付けることで、一対のガイドレール１０は、所定の間隔に設置される。
【００１５】
以上説明したように、この実施の形態に係るエレベータ装置によれば、昇降路１の底面に倒伏または起立可能なはしご１１が取り付けられ、このはしご１１が起立したときに、昇降路内機器にはしご１１の先端部が近接するので、作業者は、乗場から既設のはしごを取り外して移動させることなく、はしご１１を上ることで、昇降路内機器の保守点検を行うことができる。
【００１６】
また、はしご１１が起立したときに、はしご１１の他端部１１ｂが巻上機４に近接するので、作業者は、はしご１１を上ることで、巻上機４の保守点検を容易に行うことができる。
【００１７】
また、はしご１１が起立したときに、はしご１１の一端部１１ａが制御盤５に近接するので、作業者は、はしご１１を上ることで、制御盤５の保守点検を容易に行うことができる。
【００１８】
また、巻上機４の下方には巻上機用作業台６が取り付けられているので、作業者は、はしご１１を用いて巻上機用作業台６の上に乗ることで、簡単に巻上機４の保守点検を行うことができる。
また、制御盤５の下方には制御盤用作業台７が取り付けられているので、作業者は、はしご１１を用いて制御盤用作業台７の上に乗ることで、簡単に制御盤５の保守点検を行うことができる。
【００１９】
また、はしご１１は、一端部１１ａを中心に起立することで他端部１１ｂが巻上機４に近接し、一方、他端部１１ｂを中心に起立することで一端部１１ａが制御盤５に近接するので、作業者は、簡単に、巻上機４および制御盤５の保守点検を行うことができる。
【００２０】
また、第１の取付金１２、第２の取付金１３およびガイドレール１０は、かご側緩衝器８を支持した基台９に支持されているので、基台９を移動させることで、第１の取付金１２、第２の取付金１３、ガイドレール１０およびかご側緩衝器８の位置を調節することができる。
【００２１】
また、はしご１１は所定の長さに設定されており、一対のガイドレール１０は、はしご１１の長手方向の寸法を基準にして、所定の間隔に設置されているので、ガイドレール１０を所定の間隔に設置することができ、基台９の軽量化、小型化および据付作業の効率を向上させることができる。さらに基台９を据付けるための専用の治具を必要としないので構成を簡単にすることができる。
【００２２】
なお、上記実施の形態では、昇降路内機器として、昇降路１の側壁面に取り付けられた巻上機４および制御盤５を例に説明したが、勿論このものに限らず、昇降路１内に設けられたその他の機器であってもよい。
【図面の簡単な説明】
【００２３】
【図１】実施の形態１に係るエレベータ装置の要部を示す斜視図である。
【図２】図１のエレベータ装置の要部を示す平面図である。
【図３】図２のはしごが起立し、巻上機用作業台が側壁面から水平方向に回動したときを示す平面図である。
【図４】図３のはしごが起立したときを示す側面図である。
【図５】図１のはしごが起立し、制御盤用作業台が側壁面から水平方向に回動したときを示す平面図である。
【図６】図５の制御盤を保守点検する様子を示す斜視図である。
【符号の説明】
【００２４】
１  昇降路、３  巻上機ロープ、４  巻上機（昇降路内機器）、５  制御盤（昇降路内機器）、６  巻上機用作業台、７  制御盤用作業台、８  かご側緩衝器、９  基台、１０  ガイドレール、１１  はしご、１１ａ  一端部、１１ｂ  他端部、１２  第１の取付金（保持具）、１３  第２の取付金（保持具）、１４  第１のブラケット（連結体）、１５  第２のブラケット（連結体）。
【図１】
2009184757.tif 000003
【図２】
2009184757.tif 000004
【図３】
2009184757.tif 000005
【図４】
2009184757.tif 000006
【図５】
2009184757.tif 000007
【図６】
2009184757.tif 000008